(57)【特許請求の範囲】
【請求項１】
電極が２列並ぶように重ねられた複数の電池の電極間に取り付けられ、これら電極間を接続することで前記複数の電池を直列接続する複数のバスバと、前記２列の電極のうち一方の列の電極間を接続するバスバをそれぞれ収容する互いに連結された複数の第１収容部、前記２列の電極のうち他方の列の電極間を接続するバスバをそれぞれ収容する互いに連結された複数の第２収容部、及び、これら第１収容部及び第２収容部を互いに連結するプレート本体、から構成されたプレートと、を備えたバスバモジュールにおいて、
前記プレート上に前記電池の重なり方向に沿って並べて配置された互いに同じ形状及び同じ大きさの２枚の絶縁カバーを備え、
前記２枚の絶縁カバーの各々が、前記第１収容部及び前記第２収容部の双方を覆うように設けられ、
前記２枚の絶縁カバーにはそれぞれ、前記重なり方向に並べた一対の位置決め穴が設けられ、
前記プレートには、前記重なり方向の中央部に前記重なり方向に沿って並べられた一対の位置決めボスが設けられ、
前記２枚の絶縁カバーの重なり方向一方側には、前記一対の位置決め穴のうち前記重なり方向他方側の位置決め穴のみに前記位置決めボスが挿入され、
前記２枚の絶縁カバーの重なり方向の他方側には、前記一対の位置決め穴のうち前記重なり方向一方側の位置決め穴のみに前記位置決めボスが挿入される
ことを特徴とするバスバモジュール。
【請求項２】
前記プレートには、前記絶縁カバー側に向かって突出する突部と、前記突部の先端から前記重なり方向と直交する方向に突出する係止爪と、が設けられ、
前記絶縁カバーには、前記係止爪が挿入される前記重なり方向が前記係止爪よりも長い長尺状の係止孔が設けられている
ことを特徴とする請求項１に記載のバスバモジュール。
【請求項３】
電極が２列並ぶように重ねられた複数の電池から構成された電池集合体と、互いに隣り合う前記電池の電極間に取り付けられ、これら電極間を接続することで前記複数の電池を直列接続する複数のバスバと、前記２列の電極のうち一方の列の電極間を接続するバスバをそれぞれ収容する互いに連結された複数の筒状の第１収容部、前記２列の電極のうち他方の列の電極間を接続するバスバをそれぞれ収容する互いに連結された複数の筒状の第２収容部、及び、これら第１収容部及び第２収容部を互いに連結するプレート本体、から構成されたプレートと、を備えた電源装置において、
前記プレート上に前記電池の重なり方向に沿って並べて配置された互いに同じ形状及び同じ大きさの２枚の絶縁カバーを備え、
前記２枚の絶縁カバーの各々が、前記第１収容部及び前記第２収容部の双方の開口を覆うように設けられ、
前記２枚の絶縁カバーにはそれぞれ、前記重なり方向に並べた一対の位置決め穴が設けられ、
前記プレートには、前記重なり方向の中央部に前記重なり方向に沿って並べられた一対の位置決めボスが設けられ、
前記２枚の絶縁カバーの重なり方向一方側には、前記一対の位置決め穴のうち前記重なり方向他方側の位置決め穴のみに前記位置決めボスが挿入され、
前記２枚の絶縁カバーの重なり方向の他方側には、前記一対の位置決め穴のうち前記重なり方向一方側の位置決め穴のみに前記位置決めボスが挿入される
ことを特徴とする電源装置。
【発明の詳細な説明】
【技術分野】
【０００１】
本発明は、バスバモジュール及び電源装置に係り、特に、複数の電池を直列に接続するためのバスバモジュールと、当該バスバモジュールを有する電源装置に関するものである。
【背景技術】
【０００２】
電動モータを用いて走行する電気自動車や、エンジンと電動モータとを併用して走行するハイブリッド自動車などには、前記電動モータの駆動源としての電源装置が搭載されている。この電源装置としては、一端に正の電極と他端に負の電極とが設けられた複数の電池から構成される電池集合体を備え、所望の電圧を得るために前記複数の電池は直列に接続されている。これら複数の電池は、正の電極と負の電極とが互いに隣り合う状態で、一方向に沿って２列並べられている。
【０００３】
前述した電源装置は、電池集合体の互いに隣り合う各電池の正の電極と負の電極とを接続部材によって接続して、電池集合体の複数の電池を直列に接続しているため、複数の接続部材を電池集合体に組み付ける必要があり、電源装置の組み立て作業が煩雑になるという問題があった。
【０００４】
前述した問題を解決するために、例えば、図８に示すような、複数の電池を直列に接続するための複数の接続部材を一括して電池集合体に組み付け可能なバスバモジュールが提案されている（例えば、特許文献１を参照。）。特許文献１に示されたバスバモジュール３は、電池集合体の複数の電池を直列に接続する接続部材としての複数のバスバ９と、複数のバスバ９が取り付けられて電池集合体に装着されるプレート１０と、絶縁カバー１２と、を備えている。
【０００５】
複数のバスバ９は、それぞれ、導電性を有する金属等で構成されており、帯板状に形成され且つ前記正及び負の電極を通す複数の孔が設けられている。
【０００６】
上記プレート１０は、合成樹脂等で構成されており、２列の電極のうち一方の列の電極間を接続するバスバ９をそれぞれ収容する互いに連結された複数の有底四角筒状の第１収容部１０ａと、２列の電極のうち他方の列の電極間を接続するバスバ９をそれぞれ収容する互いに連結された複数の有底四角筒状の第２収容部１０ｂと、これら第１収容部１０ａ及び第２収容部１０ｂを互いに連結する平板状のプレート本体１０ｃと、を備えている。
【０００７】
上記絶縁カバー１２は、第１収容部１０ａの開口を覆う第１絶縁カバー１２ａと、第２収容部１０ｂの開口を覆う第２絶縁カバー１２ｂと、を備えている。これら第１絶縁カバー１２ａ及び第２絶縁カバー１２ｂはそれぞれ、プレート１０上に重ねるとプレート１０に設けた係止突起（図示せず）と係止する複数の係止部１２ｃが設けられ、プレート１０から外れないようになっている。
【０００８】
このように、前述したバスバモジュール３は、複数のバスバ９が取り付けられたプレート１０を電池集合体に装着することで、複数のバスバ９により電池集合体の複数の電池を直列に接続することができ、電池集合体への組み付け作業が簡素化されていた。
【先行技術文献】
【特許文献】
【０００９】
【特許文献１】特開２０００−１４１９２２号公報
【発明の概要】
【発明が解決しようとする課題】
【００１０】
上述した従来の電源装置においては、第１、第２絶縁カバー１２ａ、１２ｂは、第１収容部１０ａと第２収容部１０ｂとで分けて設けられている。また、第１絶縁カバー１２ａに、この電池集合体の一端に接続される電線の端子部を覆う部分をさらに設け、第２絶縁カバー１２ｂに、この電池集合体の他端に接続される電線の端子部を覆う部分をさらに設けるなどしているため、第１絶縁カバー１２ａと第２絶縁カバー１２ｂとは形が異なり、金型を２つ用意する必要があった。
【００１１】
また、第１、第２絶縁カバー１２ａ、１２ｂは、電池の重なり方向Ｘに長くなり、大型の金型が必要となっていた。さらに、図９に示すように、電池の重なり方向Ｘの公差を吸収するためにヒンジ１２ｄを設ける必要があり、金型が複雑になり、さらにコスト高になる、という問題があった。
【００１２】
そこで、本発明は、絶縁カバーの金型コストの削減を図った電源装置及びバスバモジュールを提供することを課題とする。
【課題を解決するための手段】
【００１３】
上述した課題を解決するためになされた請求項１記載の発明は、電極が２列並ぶように重ねられた複数の電池の電極間に取り付けられ、これら電極間を接続することで前記複数の電池を直列接続する複数のバスバと、前記２列の電極のうち一方の列の電極間を接続するバスバをそれぞれ収容する互いに連結された複数の第１収容部、前記２列の電極のうち他方の列の電極間を接続するバスバをそれぞれ収容する互いに連結された複数の第２収容部、及び、これら第１収容部及び第２収容部を互いに連結するプレート本体、から構成されたプレートと、を備えたバスバモジュールにおいて、前記プレート上に前記電池の重なり方向に沿って並べて配置された互いに同じ形状及び同じ大きさの２枚の絶縁カバーを備え、前記２枚の絶縁カバーの各々が、前記第１収容部及び前記第２収容部の双方を覆うように設けられ、前記２枚の絶縁カバーにはそれぞれ、前記重なり方向に並べた一対の位置決め穴が設けられ、前記プレートには、前記重なり方向の中央部に前記重なり方向に沿って並べられた一対の位置決めボスが設けられ、前記２枚の絶縁カバーの重なり方向一方側には、前記一対の位置決め穴のうち前記重なり方向他方側の位置決め穴のみに前記位置決めボスが挿入され、前記２枚の絶縁カバーの重なり方向の他方側には、前記一対の位置決め穴のうち前記重なり方向一方側の位置決め穴のみに前記位置決めボスが挿入されることを特徴とするバスバモジュールに存する。
【００１５】
請求項２記載の発明は、前記プレートには、前記絶縁カバー側に向かって突出する突部と、前記突部の先端から前記重なり方向と直交する方向に突出する係止爪と、が設けられ、前記絶縁カバーには、前記係止爪が挿入される前記重なり方向が前記係止爪よりも長い長尺状の係止孔が設けられていることを特徴とする請求項１に記載のバスバモジュールに存する。
【００１６】
請求項３記載の発明は、電極が２列並ぶように重ねられた複数の電池から構成された電池集合体と、互いに隣り合う前記電池の電極間に取り付けられ、これら電極間を接続することで前記複数の電池を直列接続する複数のバスバと、前記２列の電極のうち一方の列の電極間を接続するバスバをそれぞれ収容する互いに連結された複数の筒状の第１収容部、前記２列の電極のうち他方の列の電極間を接続するバスバをそれぞれ収容する互いに連結された複数の筒状の第２収容部、及び、これら第１収容部及び第２収容部を互いに連結するプレート本体、から構成されたプレートと、を備えた電源装置において、前記プレート上に前記電池の重なり方向に沿って並べて配置された互いに同じ形状及び同じ大きさの２枚の絶縁カバーを備え、前記２枚の絶縁カバーの各々が、前記第１収容部及び前記第２収容部の双方の開口を覆うように設けられ、前記２枚の絶縁カバーにはそれぞれ、前記重なり方向に並べた一対の位置決め穴が設けられ、前記プレートには、前記重なり方向の中央部に前記重なり方向に沿って並べられた一対の位置決めボスが設けられ、前記２枚の絶縁カバーの重なり方向一方側には、前記一対の位置決め穴のうち前記重なり方向他方側の位置決め穴のみに前記位置決めボスが挿入され、前記２枚の絶縁カバーの重なり方向の他方側には、前記一対の位置決め穴のうち前記重なり方向一方側の位置決め穴のみに前記位置決めボスが挿入されることを特徴とする電源装置に存する。
【発明の効果】
【００１７】
以上説明したように請求項１及び３記載の発明によれば、２つの絶縁カバーの各々が、第１収容部及び第２収容部の双方を覆うように設けられているので、プレート上に電池の重なり方向に沿って並べた２つの絶縁カバーを同じ形状及び同じ大きさにすることができる。従って、一つの金型で２つの絶縁カバーを設けることができ、絶縁カバーの金型コストの削減を図ることができる。
【００１８】
請求項１記載の発明によれば、位置決めボスの位置を各絶縁カバーに対して同じ位置に設けることができなくても、２つの位置決め穴をそれぞれの絶縁カバーに設けることにより、一つの金型で複数の絶縁カバーを設けることができる。
【００１９】
請求項２記載の発明によれば、絶縁カバーには、係止爪と係止する重なり方向が係止爪よりも長い長尺状の係止孔が設けられているので、プレートでの突部の重なり方向の位置が多少ずれても係止孔に係止させることができ、簡単に突部の重なり方向の公差を吸収することができる。
【図面の簡単な説明】
【００２０】
【図１】本発明のバスバモジュールの一実施形態を示す上面図である。
【図２】図１に示すバスバモジュールを有する電源装置の分解斜視図である。
【図３】図２に示す電源装置を構成する電池集合体の斜視図である。
【図４】（Ａ）〜（Ｄ）は図１のＡ部〜Ｄ部拡大図である。
【図５】（Ａ）は図１のＡ部拡大図であり、（Ｂ）は（Ａ）のＡ−Ａ線断面図である。
【図６】図２に示す絶縁カバーの裏側の部分斜視図である。
【図７】図２に示すプレートの部分斜視図である。
【図８】従来の電源装置を構成するバスバモジュールの一例を示す分解斜視図である。
【図９】（Ａ）図８に示すバスバモジュールを構成する絶縁カバーの上面図であり、（Ｂ）は（Ａ）のＸ部拡大図である。
【発明を実施するための形態】
【００２１】
以下、本発明の一実施形態にかかるバスバモジュール及び電源装置を、図１乃至図７を参照して説明する。本発明の一実施形態にかかる電源装置１は、電動モータの駆動力によって走行する電気自動車や、エンジンと電動モータとの双方の駆動力で走行するハイブリッド車などに搭載され、前記電動モータに電力を供給するものである。
【００２２】
本発明の電源装置１は、図２に示すように、電池集合体２と、この電池集合体２に取り付けられるバスバモジュール３と、一対の電線４と、を備えている。電池集合体２は、図３に示すように、複数の電池５から構成されている。
【００２３】
複数の電池５は、それぞれ、図３に示すように、方体状の電池本体６と、正の電極（以下、正極と略す）７と、負の電極（以下、負極と略す）８と、を備えている。正極７は、電池本体６の一端に設けられている。負極８は、電池本体６の他端に設けられている。正極７と負極８とは、導電性の金属で構成され且つ円柱状に形成されている。正極７と負極８とは、電池本体６の上面６ａから同方向に突出しているとともに、互いに並行（平行）に配されている。
【００２４】
前述した構成の複数の電池５は、上面６ａが互いに同一平面上に位置する状態で、互いに隣り合う電池５同士の正極７と負極８とが互いに隣り合うように、一方向（図３中の矢印Ｘ）に沿って２列並べられている。即ち、複数の電池５は、正極７と負極８とが交互に逆向きとなる状態で重ねられる。
【００２５】
なお、図中の矢印Ｘは、複数の電池５の重なり方向、及び、電池集合体２の長手方向を示し、矢印Ｙは、電池集合体２の幅方向を示し、矢印Ｚは、電池集合体２の高さ方向を示している。
【００２６】
上記バスバモジュール３は、主に前述した複数の電池５を直列接続するものであり、図２及び図７などに示すように、複数の電池５を直列に接続する複数のバスバ９と、これらを収容した合成樹脂製のプレート１０と、プレート１０の上に重ねられた２つの絶縁カバー１１などを備えている。
【００２７】
バスバ９は、導電性の金属板にプレス加工が施されるなどして得られるものであり、板状の金属板に一対の孔が設けられた構成である。この一対の孔には、互いに隣り合う各電池５の互いに隣り合う正及び負の電極７、８が通される。また、バスバ９は、各孔に通された正及び負の電極７、８に図示しないナットが螺合されることで電池５に固定される。
【００２８】
上記プレート１０は、絶縁性の合成樹脂からなり、図２に示すように、全体としての平面形状が長方形で、長手方向の長さが電池集合体２のＸ方向の長さとほぼ等しく形成されている。プレート１０は、２列の電極７、８のうち一方の列の電極７、８間を接続するバスバ９をそれぞれ収容する互いに連結された複数の有底筒状の第１収容部１０ａと、２列の電極７、８のうち他方の列の電極７、８間を接続するバスバ９をそれぞれ収容する互いに連結された複数の有底筒状の第２収容部１０ｂと、これら第１収容部１０ａ及び第２収容部１０ｂを互いに連結する平板状のプレート本体１０ｃと、を備えている。
【００２９】
複数の第１収容部１０ａ及び第２収容部１０ｂはそれぞれ、図７に示すように、バスバ９が搭載される図示しない底壁部と、底壁部からバスバ９の周縁に沿って立設される周壁部１０ｄと、を備え、電池集合体２から離れた側が開口となる有底四角筒状に設けられている。上記第１収容部１０ａ及び第２収容部１０ｂの底壁部には、バスバ９の一対の孔各々に重なる図示しない一対の貫通孔が設けられており、該一対の貫通孔各々を通された各電池５の正及び負の電極７、８がバスバ９の各孔に通される。
【００３０】
上記第１収容部１０ａ及び第２収容部１０ｂの周壁部１０ｄには、係止凸部１０ｅが設けられていて、この係止凸部１０ｅにバスバ９が係止されている。上記第１収容部１０ａ及び第２収容部１０ｂの開口からはバスバ９及びバスバ９の貫通孔に通された電極７、８が露出されており、この開口から電極７、８に図示しないナットを螺合させることで電池５にプレート１０を取り付けることができる。
【００３１】
上記複数の第１収容部１０ａ及び第２収容部１０ｂは、互いにヒンジ部１０ｆによって連結されて電池５の重なり方向Ｘに沿って並べられている。この複数の第１収容部１０ａと第２収容部１０ｂとは、Ｙ方向に互いに間隔を空けて配置されている。
【００３２】
上記プレート本体１０ｃは、図２に示すように、上記第１収容部１０ａ及び第２収容部１０ｂを互いに連結するように平板状に設けられている。このプレート本体１０ｃの第１収容部１０ａと第２収容部１０ｂとの間には電線保持部１０ｇが設けられている。電線保持部１０ｇは、重なり方向Ｘに沿って互いに間隔をあけて複数設けられている。電線保持部１０ｇは、それぞれ、互いの間に一対の電線４のうち一方の電線４ｂを位置付ける位置に対をなして配置され且つ該一方の電線４ｂを狭持する一対の固定片１０ｈを有している。
【００３３】
上記２つの絶縁カバー１１は、絶縁性の合成樹脂からなり、互いに同じ形状及び同じ大きさに設けられ、プレート１０上に電池５の重なり方向Ｘに沿って並べて配置されている。２つの絶縁カバー１１はそれぞれ、全体として平面形状が長方形で、長手方向の長さが電池集合体２の重なり方向Ｘの長さの半分とほぼ等しく形成され、短手方向の長さが電池集合体２のＹ方向の長さとほぼ等しく形成されている。
【００３４】
即ち、図１及び図２などに示すように、２つの絶縁カバー１１のうち重なり方向Ｘの一方側（図１中左側）は、重なり方向Ｘの一方側（左側）の第１収容部１０ａ及び第２収容部１０ｂの双方の開口を覆っている。２つの絶縁カバー１１のうち重なり方向Ｘの他方側（図１中右側）は、重なり方向Ｘの他方側（右側）の第１収容部１０ａ及び第２収容部１０ｂの双方の開口を覆っている。
【００３５】
上記絶縁カバー１１の重なり方向Ｘの一方側（図１中左側）、かつ、Ｙ方向の一方側（図中上側）には、重なり方向Ｘに突出する凸部１１ａが設けられていて、２つの絶縁カバー１１のうち一方側に配置された絶縁カバー１１の凸部１１ａの下から電線４ａが引き出されている。また、この凸部１１ａの図面下側には、Ｙ方向に間隔をあけて配された重なり方向Ｘに沿った一対の切欠１１ｂが設けられている。
【００３６】
これにより、一対の切欠１１ｂ間の絶縁カバー１１がＺ方向に可撓に設けられ、この下から電線４ｂが引き出されている。また、上記絶縁カバー１１の重なり方向Ｘの他方側（図１中右側）、かつ、Ｙ方向の一方側（図中下側）には、重なり方向Ｘに突出する凸部１１ｃが設けられている。図１からも明らかなように凸部１１ａ及び１１ｃの高さはほぼ等しい。
【００３７】
また、上記２つの絶縁カバー１１には、それぞれ、重なり方向Ｘの両端に一対の位置決め穴１１ｄが設けられている。この一対の位置決め穴１１ｄは、重なり方向Ｘに沿って長尺状の長方形に設けられていて、互いに重なり方向Ｘに並べて設けられている。また、図６に示すように、この一対の位置決め穴１１ｄの重なり方向Ｘに対向する縁部からはプレート１０に向かって立設する一対の立壁部１１ｅが設けられている。この一対の立壁部１１ｅの先端側の内壁には、先端から離れるに従って互いに近づくテーパが設けられている。
【００３８】
一方、上述したプレート１０には、中央部に重なり方向Ｘに沿って並べられた一対の位置決めボス１０ｉ（図４（Ｂ）及び（Ｃ））が突設されている。この一対の位置決めボス１０ｉは、絶縁カバー１１に設けた位置決め穴１１ｄに嵌合される。また、この一対の位置決めボス１０ｉの重なり方向Ｘに対向する一対の外壁には、絶縁カバー１１に向かって互いに近づくに従って互いに近づくテーパが設けられている。上述したように一対の立壁部１１ｅ、位置決めボス１０ｉにテーパを設けることにより、位置決め穴１１ｄに位置決めボス１０ｉを嵌合させやすくなる。
【００３９】
また、上記２枚の絶縁カバー１１のうち重なり方向Ｘ一方側（図１中左側）には、図４（Ｂ）に示すように、一対の位置決め穴１１ｄのうち重なり方向Ｘ他方側（図１右側）のみに位置決めボス１０ｉが嵌合され、図４（Ａ）に示すように、一対の位置決め穴１１ｄのうち重なり方向Ｘ一方側（図１左側）には位置決めボス１０ｉが嵌合されていない。
【００４０】
２枚の絶縁カバー１１のうち重なり方向Ｘ他方側（図１右側）には、図４（Ｃ）に示すように、一対の位置決め穴１１ｄのうち重なり方向Ｘ一方側（図１左側）のみに位置決めボス１０ｉが嵌合され、図４（Ｄ）に示すように、一対の位置決め穴１１ｄのうち重なり方向Ｘ他方側（図１右側）には位置決めボス１０ｉが嵌合されていない。
【００４１】
また、絶縁カバー１１には、それぞれ、４箇所の係止部１１ｆが設けられている。係止部１１ｆは、図５及び図６に示すように、重なり方向Ｘに長尺状となる長方形状の孔部１１ｆ−１と、この孔部１１ｆ−１の重なり方向Ｘに沿った縁部から突設した第１立壁部１１ｆ−２と、孔部１１ｆ−１のＹ方向中央からこの第１立壁部１１ｆ−２と平行に立設する第２立壁部１１ｆ−３と、を備えている。
【００４２】
上記第２立壁部１１ｆ−３には、孔部１１ｆ−１と同じ幅の重なり方向Ｘに長尺状の係止孔１１ｆ−４が設けられている。また、第１立壁部１１ｆ−２及び第２立壁部１１ｆ−３の先端には、先端から離れるに従って互いに近づくテーパが設けられている。
【００４３】
一方、プレート１０には、図５及び図７に示すように、絶縁カバー１１側に向かって突出する突部１０ｊと、突部１０ｊの先端から重なり方向Ｘと直交する方向（Ｙ方向）に突出する係止爪１０ｋと、が設けられ、この係止爪１０ｋが上記絶縁カバー１１の係止孔１１ｆ−４に挿入されて、第２立壁部１１ｆ−３に係止する。なお、上記係止孔１１ｆ−４は、係止爪１０ｋよりも重なり方向Ｘが長い長尺状に設けられている。具体的には、係止孔１１ｆ−４の重なり方向Ｘの幅は、係止爪１０ｋの重なり方向Ｘの幅の３倍以上に設けられている。
【００４４】
次に、上述した構成の電源装置１の組み立て手順について説明する。まず、このプレート１０に保持されたバスバ９の孔部に電池５の電極７、８を挿入する。その後、電極７、８にナットを螺合させて、電池集合体２にプレート１０を取り付ける。次に、絶縁カバー１１の位置決め穴１１ｄに一対の位置決めボス１０ｉを挿入する。
【００４５】
その後、絶縁カバー１１に設けた第１立壁部１１ｆ−２と第２立壁部１１ｆ−３との間にプレート１０に設けた突部１０ｊを挿入する。このとき、係止爪１０ｋによって第２立壁部１１ｆ−３が第１立壁部１１ｆ−２から離れた側に撓む。さらに、突部１０ｊを挿入して、係止爪１０ｋが係止孔１１ｆ−４に挿入されると、第２立壁部１１ｆ−３が復元して、係止爪１０ｋと第２立壁部１１ｆ−３の内壁とが係止して、絶縁カバー１１がプレート１０に取り付けられる。
【００４６】
上述したバスバモジュール３によれば、２つの絶縁カバー１１の各々が、第１収容部１０ａ及び第２収容部１０ｂの双方を覆うように設けられているので、プレート１０上に電池５の重なり方向Ｘに沿って並べた２つの絶縁カバー１１を同じ形状及び同じ大きさにすることができる。従って、一つの金型で２つの絶縁カバー１１を設けることができ、絶縁カバー１１の金型コストの削減を図ることができる。
【００４７】
また、上述したバスバモジュール３によれば、２枚の絶縁カバー１１にはそれぞれ、重なり方向Ｘに並べた一対の位置決め穴１１ｄが設けられ、プレート１０には、重なり方向Ｘの中央部に重なり方向Ｘに沿って並べられた一対の位置決めボス１０ｉが設けられ、２枚の絶縁カバー１１の重なり方向一方側には、一対の位置決め穴１１ｄのうち重なり方向Ｘ他方側の位置決め穴１１ｄのみに位置決めボス１０ｉが挿入され、２枚の絶縁カバー１１の重なり方向Ｘの他方側には、一対の位置決め穴１１ｄのうち重なり方向Ｘ一方側の位置決め穴１１ｄのみに位置決めボス１０ｉが挿入される。これにより、位置決めボス１０ｉの位置を各絶縁カバー１１に対して同じ位置に設けることができなくても、２つの位置決め穴１１ｄをそれぞれの絶縁カバー１１に設けることにより、一つの金型で複数の絶縁カバー１１を設けることができる。
【００４８】
また、上述したバスバモジュール３によれば、絶縁カバー１１には、係止爪１０ｋと係止する重なり方向Ｘが係止爪１０ｋよりも長い長尺状の係止孔１１ｆ−４が設けられているので、プレート１０での突部１０ｊの重なり方向Ｘの位置が多少ずれても係止孔１１ｆ−４に係止させることができ、簡単に突部１０ｊの重なり方向Ｘの公差を吸収することができる。
【００４９】
なお、上述した電源装置１及びバスバモジュール３によれば、２つの絶縁カバー１１でプレート１０を覆っていたが、本発明はこれに限ったものではない。絶縁カバー１１としては、複数設けていればよく、例えば３つ以上設けても良い。
【００５０】
また、上述した電源装置１及びバスバモジュール３によれば、絶縁カバー１１には、一対の位置決め穴１１ｄの一方にしかプレート１０に設けた位置決めボス１０ｉを嵌合させていなかったが、本発明はこれに限ったものではない。一対の位置決め穴１１ｄの両方に位置決めボス１０ｉを嵌合させてもよい。
【００５１】
また、上述した電源装置１及びバスバモジュール３によれば、絶縁カバー１１から立設した第２立壁部１１ｆ−３に係止孔１１ｆ−４を設けていたが本発明はこれに限ったものではない。絶縁カバー１１本体に係止孔を設けても良い。
【００５２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５３】
１      電源装置
２      電池集合体
３      バスバモジュール
５      電池
７      正極（電極）
８      負極（電極）
９      バスバ
１０    プレート
１０ａ  第１収容部
１０ｂ  第２収容部
１０ｃ  プレート本体
１０ｉ  位置決めボス
１０ｊ  突部
１０ｋ  係止爪
１１    絶縁カバー
１１ｄ  位置決め穴
１１ｆ−４  係止孔
【図１】
0005613074.tif 000002
【図２】
0005613074.tif 000003
【図３】
0005613074.tif 000004
【図４】
0005613074.tif 000005
【図５】
0005613074.tif 000006
【図６】
0005613074.tif 000007
【図７】
0005613074.tif 000008
【図８】
0005613074.tif 000009
【図９】
0005613074.tif 000010